(57)【特許請求の範囲】
【請求項１】
基地局において使用するための方法であって、
第１の変調および符号化方式（ＭＣＳ）を使って第１のブロックをエンコードするステップと、
前記エンコードされた第１のブロックを、ＢＴＴＩ（基本送信時間間隔）期間の前半中のＲＴＴＩ（短縮送信時間間隔）タイムスロットペアにおいてワイヤレス送受信ユニット（ＷＴＲＵ）に送信するステップと、
前記第１のＭＣＳに関連して、第２のブロックについて利用可能なＭＣＳのサブセットを判定するステップと、
第２のブロックをエンコードするのに使うべき第２のＭＣＳであり、前記第１のブロックについての前記第１のＭＣＳと前記第２のブロックについての第２のＭＣＳとの組み合わせが制限されるような前記ＭＣＳのサブセット中の前記第２のＭＣＳを判定するステップと、
前記第２のＭＣＳを使って前記第２のブロックをエンコードするステップと、
前記エンコードされた第２のブロックを、前記ＢＴＴＩ期間の後半にある前記ＲＴＴＩタイムスロットペアにおいて送信するステップと
を含むことを特徴とする方法。
【請求項２】
前記第２のＭＣＳを判定する前記ステップは、前記第１のＭＣＳのスループット特性に基づくことを特徴とする請求項１に記載の方法。
【請求項３】
前記第２のＭＣＳを判定する前記ステップは、前記第１のＭＣＳのサービス品質特性に基づくことを特徴とする請求項１に記載の方法。
【請求項４】
前記第２のＭＣＳを判定する前記ステップは、前記ＷＴＲＵの機能にさらに基づくことを特徴とする請求項１に記載の方法。
【請求項５】
前記ＷＴＲＵの前記機能は、前記ＷＴＲＵによってサポートされるＭＣＳを含むことを特徴とする請求項４に記載の方法。
【請求項６】
前記エンコードされた第１のブロックを前記送信するステップまたは前記エンコードされた第２のブロックを前記送信するステップは、ＧＳＭ  Ｅｄｇｅ（広域展開用高速データレート）無線アクセスネットワーク（ＧＥＲＡＮ）アクセスネットワークを介して実施されることを特徴とする請求項１に記載の方法。
【請求項７】
前記第１のＭＣＳまたは前記第２のＭＣＳに関連づけられた変調タイプは、ＧＭＳＫ、８ＰＳＫ、ＱＰＳＫ、１６ＱＡＭ、または３２ＱＡＭであることを特徴とする請求項１に記載の方法。
【請求項８】
第１の変調および符号化方式（ＭＣＳ）を使って第１のブロックをエンコードし、第２のＭＣＳを使って第２のブロックをエンコードし、
前記エンコードされた第１のブロックを、ＢＴＴＩ（基本送信時間間隔）期間の前半中のＲＴＴＩ（短縮送信時間間隔）タイムスロットペアにおいてワイヤレス送受信ユニット（ＷＴＲＵ）に送信し、前記エンコードされた第２のブロックを、前記ＢＴＴＩ期間の後半中のＲＴＴＩタイムスロットペアにおいて前記ＷＴＲＵに送信する
ように構成されたトランシーバと、
前記第１のＭＣＳに関連して、前記第２のブロックについて利用可能なＭＣＳのサブセットを判定し、前記第１のブロックについての前記第１のＭＣＳと前記第２のブロックについての第２のＭＣＳとの組み合わせが制限されるような前記ＭＣＳのサブセット中の前記第２のＭＣＳを判定するように構成されたプロセッサと
を備えたことを特徴とする基地局。
【請求項９】
前記第２のＭＣＳを判定することは、前記第１のＭＣＳのスループット特性に基づくことを特徴とする請求項８に記載の基地局。
【請求項１０】
前記第２のＭＣＳを判定することは、前記第１のＭＣＳのサービス品質特性に基づくことを特徴とする請求項８に記載の基地局。
【請求項１１】
前記第２のＭＣＳを判定することは、前記ＷＴＲＵの機能にさらに基づくことを特徴とする請求項８に記載の基地局。
【請求項１２】
前記ＷＴＲＵの前記機能は、前記ＷＴＲＵによってサポートされるＭＣＳを含むことを特徴とする請求項１１に記載の基地局。
【請求項１３】
前記トランシーバは、ＧＳＭ  Ｅｄｇｅ（広域展開用高速データレート）無線アクセスネットワーク（ＧＥＲＡＮ）アクセスネットワークを介して、前記エンコードされた第１のブロックまたは前記エンコードされた第２のブロックを送信するように構成されることを特徴とする請求項８に記載の基地局。
【請求項１４】
前記第１のＭＣＳまたは前記第２のＭＣＳに関連づけられた変調タイプは、ＧＭＳＫ、８ＰＳＫ、ＱＰＳＫ、１６ＱＡＭ、または３２ＱＡＭであることを特徴とする請求項８に記載の基地局。
【発明の詳細な説明】
【技術分野】
【０００１】
本出願は、ワイヤレス通信に関する。
【背景技術】
【０００２】
ＧＳＭ（global system for mobile communications：移動体通信用グローバルシステム）標準のリリース７（Ｒ７）は、アップリンク（ＵＬ）およびダウンリンク（ＤＬ）におけるスループットを向上させ、送信の遅延を低減するいくつかの特徴を採り入れている。こうした特徴のうち、ＧＳＭ（登録商標）  Ｒ７は、ＤＬおよびＵＬ用のスループットを向上させるために、ＥＧＰＲＳ−２（enhanced general packet radio service 2：拡張型汎用パケット無線サービス２）を採り入れている。ＤＬにおけるＥＧＰＲＳ−２スループット向上は、ＲＥＤＨＯＴ（ＲＨ）フィーチャーとして知られており、ＵＬ向けの向上は、ＨＵＧＥフィーチャーとして知られている。ＥＧＰＲＳ−２  ＤＬおよびＲＥＤＨＯＴは、同義である。
【０００３】
ガウス最小偏移変調（Gaussian minimum shift keying：ＧＭＳＫ）（ＭＣＳ−１からＭＣＳ−４）および８位相偏移変調（8 phase-shift keying：８ＰＳＫ）変調（ＭＣＳ−５からＭＣＳ−９）に基づく旧来のＥＧＰＲＳ（拡張型汎用パケット無線サービス）変調および符号化方式（modulation and coding schemes：ＭＣＳ）に加え、ＲＥＤＨＯＴは、直交ＰＳＫ（quadrature PSK：ＱＰＳＫ）、１６直交振幅変調（16 quadrature amplitude modulation：１６ＱＡＭ）および３２ＱＡＭ変調を用いる。スループットを向上させる別の技術は、（ＥＧＰＲＳによる畳込み符号化とは反対に）ターボ符号化の使用である。さらに、より高いシンボルレート（旧来の１．２ｘシンボルレート）での操作が、別の改良点となる。
【０００４】
ＲＥＤＨＯＴをサポートするネットワークおよび／またはワイヤレス送受信ユニット（ＷＴＲＵ）は、ＲＥＤＨＯＴレベルＡ（ＲＨ−Ａ）またはＲＥＤＨＯＴレベルＢ（ＲＨ−Ｂ）のどちらかを実装することができる。ＲＨ−Ｂを実装するＷＴＲＵは、ＲＥＤＨＯＴ用に定義される完全な性能向上特徴セットを使うことによって、最大スループット利得を達成することになるが、向上技術のうち選ばれたサブセットを実装するＲＨ−Ａ  ＷＴＲＵでも、旧来のＥＧＰＲＳを上回る基本的向上を達成する。ＲＨ−Ａソリューションはまた、完全なＲＨ−Ｂ実装よりも実装しやすい。
【０００５】
具体的には、ＲＨ−Ａは、８ＰＳＫ、１６ＱＡＭおよび３２ＱＡＭ変調を用いて、新規の８個のＭＣＳを実装することになる。こうしたＭＣＳは、ダウンリンクレベルＡ  ＭＣＳ（ＤＡＳ）−５からＤＡＳ−１２と呼ばれる。ＲＨ−Ｂは、ＱＰＳＫ、１６ＱＡＭおよび３２ＱＡＭ変調に基づく、新規の８個のＭＣＳの別のセットを実装することになる。こうしたＭＣＳは、ダウンリンクレベルＢ  ＭＣＳ（ＤＢＳ）−５からＤＢＳ−１２と呼ばれる。旧来のＥＧＰＲＳとは異なり、ＲＨ−ＡおよびＲＨ−Ｂは両方とも、無線ブロックのデータ部分にターボ符号化を用いる。リンクアダプテーション目的のために、ＲＨ−Ａ  ＷＴＲＵおよびＲＨ−Ｂ  ＷＴＲＵは両方とも、旧来のＥＧＰＲＳ  ＭＣＳ−１からＭＣＳ−４（すべて、ＧＭＳＫ変調に基づく）を再利用することになる。さらに、ＲＨ−Ａは、リンクアダプテーションのために旧来のＥＧＰＲＳ  ＭＣＳ−７およびＭＣＳ−８も再利用し、ＲＨ−Ｂは、リンクアダプテーションのために旧来のＥＧＰＲＳ  ＭＣＳ−８およびＲＨ−Ａ  ＤＡＳ−６、ＤＡＳ−９およびＤＡＳ−１１を再利用する。したがって、ＲＨ−Ａ  ＷＴＲＵは、ＭＣＳ−１からＭＣＳ−４、ＭＣＳ−７からＭＣＳ−８、およびＤＡＳ−５からＤＡＳ−１２をサポートすることになり、ＲＨ−Ｂ  ＷＴＲＵは、ＭＣＳ−１からＭＣＳ−４、ＭＣＳ−８、ＤＡＳ−６、ＤＡＳ−９、ＤＡＳ−１１、およびＤＢＳ−５からＤＢＳ−１２をサポートすることになる。ただし、ＲＨ−Ａ  ＷＴＲＵは、専ら旧来の（低い）ＥＧＰＲＳシンボルレート（ＬＳＲ）で動作することになるが、ＲＨ−Ｂ  ＷＴＲＵは、より高いシンボルレート（ＨＳＲ）で動作することが可能である。ＲＨ−Ｂ  ＷＴＲＵは、ＲＨ−ＡおよびＲＨ−Ｂ仕様による機能性を実装することが要求される。ただし、ＲＨ−Ｂ  ＷＴＲＵは、パケットデータを受信するように構成される場合、旧来のＥＧＰＲＳモード、ＲＨ−ＡまたはＲＨ−Ｂモードいずれかで動作することになる。
【０００６】
旧来のＥＧＰＲＳならびに新しいタイプのＲＨ−Ａ  ＷＴＲＵおよびＲＨ−Ｂ  ＷＴＲＵは、同じタイムスロットにおいて共同で動作することができ、旧来のＥＧＰＲＳアップリンク状態フラグ（ＵＳＦ）操作およびＰＡＮデコードの原理が、ＧＳＭ  Ｒ７遅延低減（ＬＡＴＲＥＤ）フィーチャーとともに可能である（一定の制限がある）。
【０００７】
ＲＨ−Ａ  ＷＴＲＵおよびＲＨ−Ｂ  ＷＴＲＵは、割り当てられたタイムスロット（群）上で受信した無線ブロックのＵＳＦをデコードすることを要求される。さらに、上位互換性（forward-compatibility）により、ＲＨ−Ｂ  ＷＴＲＵは、それ自体がＲＨ−Ａ変調バーストとＲＨ−Ｂ変調バーストと（ＤＡＳ−ｘ変調および符号化方式か、ＤＢＳ−ｘか）を区別することを可能にする機能性を実装することを要求される。この後者の要求事項は、共有チャネル使用を増大し、ＲＨ−Ａ移動局およびＲＨ−Ｂ移動局用の資源（たとえば、タイムスロット）を容易にまとめてプールすることができることから、オペレータのための無線計画作業を削減するために存在するものである。
【０００８】
ＵＳＦは、用いられる符号化方式（ＣＳ）に応じて可変数ビットにエンコードされる３つの情報ビットから編成される。ＧＰＲＳでは、ＵＳＦをデコードするために、ＷＴＲＵは最初に、ＧＰＲＳ  ＣＳ−１、ＣＳ−２、ＣＳ−３またはＣＳ−４のどれが使われるかを示すスチールフラグをデコードする。各バースト中のトレーニングシーケンスの前に、厳密に１つのスチールフラグ（ｓｔｅａｌｉｎｇ  ｆｌａｇ）があり、各バースト中のトレーニングシーケンスの後に１つのスチールフラグがあり、無線ブロック中に合計８個のスチールフラグがあることになる。
【０００９】
ＧＰＲＳは、こうしたスチールフラグを、以下に従ってセットする。
ｑ（０），ｑ（１），．．．，ｑ（７）＝すべての１は、符号化方式ＣＳ−１を識別する。
ｑ（０），ｑ（１），．．．，ｑ（７）＝１，１，０，０，１，０，０，０は、符号化方式ＣＳ−２を識別する。
ｑ（０），ｑ（１），．．．，ｑ（７）＝０，０，１，０，０，０，０，１は、符号化方式ＣＳ−３を識別する。
ｑ（０），ｑ（１），．．．，ｑ（７）＝０，０，０，１，０，１，１，０は、符号化方式ＣＳ−４を識別する。
【００１０】
ＧＰＲＳ  ＣＳ−１からＣＳ−３のケースでは、ＵＳＦは、ＲＬＣ（無線リンク制御）／ＭＡＣ（メディアアクセス制御）ヘッダおよびデータ部分の残りとともに畳込み符号によってエンコードされる。したがって、無線ブロック全体（４つのバースト）をデコードして、ＵＳＦを抽出することが要求される。ただし、ＣＳ−４のケースでは、３つのＵＳＦ情報ビットが、１２個の符号化ビットにブロックエンコードされ、無線ブロックのＲＬＣ／ＭＡＣヘッダおよびデータ部分とは別々にマップされる。ＵＳＦは、無線ブロック全体をデコードせずに抽出され得る。
【００１１】
ＧＰＲＳ  ＣＳ−４のケースでは、１２個の符号化ＵＳＦビットが、バーストのデータ部分に分散される以下のシンボル位置に含まれる。
（１）  ｛０，５０，１００｝：無線ブロックの第１のバースト中
（２）  ｛３４，８４，９８｝：第２のバースト中
（３）  ｛１８，６８，８２｝：第３のバースト中
（４）  ｛２，５２，６６｝：第４の（最終）バースト中
【００１２】
図３は、２０ｍｓで送られるＵＳＦ向けのバーストマッピングを示す。符号化ＵＳＦビットは、無線ブロック中のバーストに依存して、異なるシンボル位置に置かれる。すべてのバーストがＧＭＳＫ変調される（各シンボルごとに１ビット）ので、シンボル位置は、ビット位置と等しい。こうしたビット位置は知られており一定しているので、ＵＳＦを読むために、（ＣＳ−１からＣＳ−３符号化方式とは異なり）無線ブロックのＲＬＣ／ＭＡＣヘッダ全体およびデータ部分全体をデコードする必要がない。ただし、データシンボルからのシンボル間干渉（inter-symbol interference：ＩＳＩ）が、その中央に含まれるＵＳＦシンボルを歪ませるので、データ部分の等化が依然として問題である。
【００１３】
ＥＧＰＲＳ対応ＷＴＲＵは、ＥＧＰＲＳ無線ブロックのＵＳＦをデコードすることを要求される。ＥＧＰＲＳ無線ブロックは、ＧＭＳＫ変調する（ＭＣＳ−１からＭＣＳ−４）か、または８ＰＳＫ変調する（ＭＣＳ−５からＭＣＳ−９）ことができる。最初は、ＧＰＲＳ  ＷＴＲＵは８ＰＳＫ変調されたブロックを受信することができないが、ＧＭＳＫ変調されたＥＧＰＲＳ無線ブロックに対する解決策は、ＵＳＦをエンコードし、ＧＭＳＫ変調されたＥＧＰＲＳ無線ブロックの１２個のブロック符号化ＵＳＦビットを、旧来のＧＰＲＳ符号化方式、すなわちＣＳ−４によって定義されるのと正確に同じやり方で置くことである。ＧＰＲＳ  ＷＴＲＵはしたがって、ＧＭＳＫ変調されたＥＧＰＲＳ無線ブロック中の、旧来のＧＰＲＳ無線ブロック中と正確に同じ位置にスチールビットを入れ、こうしたスチールフラグをＣＳ−４用の符号語にセットすることによって、ＣＳ−４無線ブロックが受信されると思い込むようになる。
【００１４】
ＧＰＲＳ  ＣＳ−４およびしたがって暗黙的にはＥＧＰＲＳ  ＭＣＳ−１からＭＣＳ−４は、スチールビットを０００１０１１０にセットすることによって示される。したがって、ＧＰＲＳ  ＷＴＲＵは、ブロックがＣＳ−４無線ブロックであると思って、首尾よく（無線条件が乏し過ぎない限り）ＵＳＦをデコードすることになる。続いて、ＧＰＲＳ  ＷＴＲＵは、ＣＳ−４ブロックとしてＥＧＰＲＳ無線ブロックの残りのデコードを試み、（巡回冗長検査（ＣＲＣ）の失敗により）失敗する。ＥＧＰＲＳ  ＷＴＲＵはまた、旧来のスチールビットを読むことになるが、ＥＧＰＲＳ  ＷＴＲＵにとって、ＣＳ−４スチールビット符号語は、ＥＧＰＲＳ無線ブロックが送付済みである（ＭＣＳ−１からＭＣＳ−４）ことを意味する。したがって、ＥＧＰＲＳ  ＷＴＲＵは、このように仮定してＵＳＦをデコードし、ＵＳＦが正しい位置（ＣＳ−４の場合と同じ）に置かれるので、デコードは成功する。続いて、どの変調および符号化方式（たとえばＭＣＳ−１からＭＣＳ−４）が使われているか判定するために、ＥＧＰＲＳ  ＷＴＲＵは、ＲＬＣ／ＭＡＣヘッダをデコードし、符号化およびパンクチャリング方式（ＣＰＳ）フィールドに注目し、無線ブロックの残りをデコードする。無線ブロックが実際にはＣＳ−４無線ブロックだった場合、この後半部分は（ＲＬＣ／ＭＡＣヘッダデコード中のＣＲＣ失敗により）失敗する。
【００１５】
ＥＧＰＲＳ  ＭＣＳ−５からＭＣＳ−９が使われる（すべて８ＰＳＫ）場合、３ビットＵＳＦは、３６ビットにブロック符号化され、ＣＳ−４およびＭＣＳ−１からＭＣＳ−４のケースでのように、無線ブロック中のＲＬＣ／ＭＡＣヘッダおよびデータ部分からは独立して扱われる。ただし、ＣＳ−４およびＭＣＳ−１からＭＣＳ−４とは異なり、こうした３６個のブロック符号化ＵＳＦビットは、無線ブロックを編成する４つのバーストそれぞれにおいて、まさに同じビット位置セット、すなわち｛１５０，１５１，１６８〜１６９，１７１〜１７２，１７７，１７８，１９５｝にマップされる。
【００１６】
図４は、ビット置換前後のＭＣＳ−５およびＭＣＳ−６用のバーストマッピングを示す。図５は、ビット置換前後のＭＣＳ−７、ＭＣＳ−８およびＭＣＳ−９用のバーストマッピングを示す。
【００１７】
ＷＴＲＵは、バーストのトレーニングシーケンスにおける正しい位相回転を検出することによって、ＧＭＳＫ変調された無線ブロック（ＣＳ−４およびＭＣＳ−１からＭＣＳ−４）と、８ＰＳＫ変調された無線ブロック（ＭＣＳ−５からＭＣＳ−９）とを区別する。続いて、ＷＴＲＵは、正しい位置からＵＳＦシンボル／ビットを抽出するために、適切にデコーダを構成する必要がある。というのは、ＧＭＳＫバースト中のＵＳＦビットマッピング（ＭＣＳ−１からＭＣＳ−４）は、８ＰＳＫバーストに対して使われるマッピング（ＭＣＳ−５からＭＣＳ−９）とは異なるからである。
【００１８】
ＧＳＭ  Ｅｄｇｅ（広域展開用高速データレート）無線アクセスネットワーク（ＧＥＲＡＮ）では、ＵＳＦ符号化は、新規の８ＰＳＫベースのＤＡＳ−５からＤＡＳ−７方式用のＥＧＰＲＳ  ＭＣＳ−５からＭＣＳ−９の場合と同様にして遂行される。このことは、３つのＵＳＦビットが、計３６個のＵＳＦ符号化ビットにブロック符号化され、旧来のＥＧＰＲＳ  ＭＣＳ−５からＭＣＳ−９ケースに関して説明したように、無線ブロックを編成する４つのバーストそれぞれに対してまさに同じビット位置セット｛１５０，１５１，１６８〜１６９，１７１〜１７２，１７７，１７８，１９５｝にマップされることを意味する。
【００１９】
新規の１６ＱＡＭベースのＤＡＳ−８およびＤＡＳ−９方式の場合、３つのＵＳＦビットは、計４８個のＵＳＦ符号化ビットにブロック符号化される。こうしたビットは次いで、無線ブロックを編成する４つのバーストそれぞれにおけるビット位置２３２から２４３にマップされる。このことは、ＵＳＦが、トレーニングシーケンスのすぐ後に続く３つの１６ＱＡＭシンボルにマップされることを意味する。
【００２０】
新規の３２ＱＡＭベースのＤＡＳ−１０からＤＡＳ−１２方式の場合、３つのＵＳＦビットは、計６０個のＵＳＦチャネル符号化ビットに符号化される。こうしたビットは次いで、無線ブロックを編成する４つのバーストそれぞれにおけるビット位置２９０から３０４にマップされる。このことは、ＵＳＦが、トレーニングシーケンスのすぐ後に続く３つの３２ＱＡＭシンボルにマップされることを意味する。
【００２１】
すべての新規のＲＨ−Ａ方式ＤＡＳ−５からＤＡＳ−１２に対して、チャネル符号化ＵＳＦビットを含むビット位置は、無線ブロックを編成する４つすべてのバーストにおいて固定され、厳密に同じである。ただし、サポートするべき３通りのタイプのＵＳＦ符号化テーブルがあり、ＲＥＤＨＯＴバーストには２通りのＵＳＦ位置セットがある。ＲＨ−Ａ  ＷＴＲＵにおいて、ＵＳＦ符号化は、ＣＳ−４１  ＭＣＳ−１からＭＣＳ−４によって記述されるように遂行され、したがってＲＨ−Ａ  ＷＴＲＵは、ＲＥＤＨＯＴタイムスロット上で旧来のＥＧＰＲＳ  ＭＣＳ−１からＭＣＳ−４もサポートしなければならない。このため、ＲＨ−Ａ  ＷＴＲＵは、合計４タイプのＵＳＦ符号化テーブルおよび３通りのＵＳＦ位置セットをサポートしなければならない。ＵＳＦ符号化ビットはこうしたバーストの中央に含まれるので、旧来のＭＣＳ−１からＭＣＳ−４向け、ならびにＤＡＳ−５からＤＡＳ−７向けのＵＳＦの抽出は、バーストのデータ部分の等化を依然として要求することにも留意されたい。これは、３つのＵＳＦシンボルが、データ部分が始まる直前のミッドアンブルを追跡するので、トレーニングシーケンスにあるＩＳＩとの等化のみが要求されるＤＡＳ−８からＤＡＳ−１２には必要ない。
【００２２】
ＲＨ−Ｂ  ＷＴＲＵは、新規のＲＨ−Ａ  ＤＡＳ−５からＤＡＳ−１２方式のどれを用いてバーストが送られる場合であっても、ＵＳＦを抽出することが可能でなければならないので、ＵＳＦ符号化テーブルおよびＵＳＦビット位置マッピングテーブルの数は、後で説明するようにさらに増大する。
【００２３】
新規タイプのＲＨ−Ｂバースト（ＤＢＳ−５からＤＢＳ−１２）は、トレーニングシーケンスのすぐ後に続く４つのシンボルの中にＵＳＦを置く。この置き方は、ＷＴＲＵがバースト全体を等化することを要求することなく、ＲＨ−Ｂ  ＷＴＲＵによるＵＳＦビットの抽出を可能にする。ＲＨ−Ａと同様に、トレーニングシーケンスに基づく変調タイプ検出およびチャネル推定は、最初から常に必要とされるので、ＵＳＦは、トレーニングシーケンスの次に置かれる。したがって、ＲＨ−Ｂ  ＷＴＲＵは、トレーニングシーケンスおよび隣接ＵＳＦシンボルを検出しさえすればよい。ＵＳＦは、ミッドアンブルの後に置かれる。理由は、典型的なチャネルインパルス応答は、先行部分では比較的小さい（たとえば、約数ナノ秒）が、後続部分では比較的大きい（たとえば、約数マイクロ秒）ものとなるからである。ＵＳＦがトレーニングシーケンスの直後に続く場合、ＵＳＦシンボル上での最も重大なＩＳＩは、トレーニングシーケンスおよびＵＳＦシンボル自体によって直接生成されることになる。したがって、ペイロードシンボルを等化する必要はない。
【００２４】
ＧＥＲＡＮでは、ＲＨ−Ｂバーストごとに４つのＵＳＦシンボル（したがって、無線ブロックごとに合計で４×４＝１６個のシンボル）が使われる。これは、それぞれ、ＲＬＣ／ＭＡＣヘッダ、存在する場合はピギーバックＡＣＫ（肯定受信応答）／ＮＡＣＫ（否定受信応答）（ＰＡＮ）、ならびにＱＰＳＫ（ＤＢＳ−５〜６）、１６ＱＡＭ（ＤＢＳ−７からＤＢＳ−９）および３２ＱＡＭ（ＤＢＳ−１０からＤＢＳ−１２）変調向けのバーストのデータ部分から取り去られることになる１６×２＝３２、１６×４＝６４、１６×５＝８０個のビット位置に変換される。ＱＰＳＫはＲＨ−Ｂの一部なので、この概念は、バーストごとに４つの４元シンボルを対象としなければならない。したがって、シンボルへのＵＳＦチャネル符号化ビットの基本マッピングは、ＱＰＳＫを使用し、次いで、１６または３２個のコンステレーション点のうち４隅のコンステレーション点のみを使うことによって、１６ＱＡＭおよび３２ＱＡＭバースト形式に拡張される。
【００２５】
すべての新規ＲＨ−Ｂバースト形式ＤＢＳ−５からＤＢＳ−１２の場合、３ビットＵＳＦは、１６ビット長の符号化ＵＳＦに常に符号化される。各バーストに関して、４つのＵＳＦ符号化ビットは、トレーニングシーケンスのすぐ後に続く４つのシンボル上にマップされる。第１の２つのＵＳＦ符号化ビットは、第１のシンボル上にマップされ、第２のシンボルは、第１のシンボルの位相回転レプリカを含む。同じ原理は、第３および第４のシンボルの中にマップされる２つのＵＳＦ符号化ビットの第２のグループに当てはまる。ＲＨ−Ｂバースト向けの、４つのシンボルへのマッピングが、図６に示されている。
【００２６】
具体的には、ＲＨ−Ｂ  ＷＴＲＵは、ＧＭＳＫ、８ＰＳＫ、ＱＰＳＫ、１６ＱＡＭおよび３２ＱＡＭに対して変調タイプ検出を実施しなければならない。この検出は、利用される変調タイプに依存して、ミッドアンブルの位相回転バージョンとの相関を通して行われる。さらに、１６ＱＡＭおよび３２ＱＡＭに対する相関が、旧来のシンボルレートおよび新規のより高いシンボルレート両方に対して行われなければならない。
【００２７】
続いて、ＷＴＲＵは、その受信機を、検出された変調タイプに依存して再構成しなければならない。たとえば、ＧＭＳＫ（ＭＣＳ−１からＭＣＳ−４）が検出された場合、ＷＴＲＵは、第１の位置セットからＵＳＦを抽出する（上述した通り）。８ＰＳＫ（ＤＡＳ−５からＤＡＳ−７）が検出された場合、ＷＴＲＵは、上述したように第２の位置セットからＵＳＦを抽出し、異なるマッピングテーブルを利用する。両方のケースにおいて、ＷＴＲＵは、ＵＳＦを処理するために、バーストのデータ部分を等化する。１６ＱＡＭまたは３２ＱＡＭが検出された場合、ＷＴＲＵは、ＨＳＲ（ＲＨ−Ｂ）か、それともＬＳＲ（ＲＨ−Ａ）が検出されたかに依存して、さらに第３のＵＳＦ位置セットの中の３つまたは４つのシンボルを処理する。こうした後者のケースでは、ＵＳＦシンボルがミッドアンブルを追跡するので、ＷＴＲＵは、バースト中のどのデータ部分も等化する。ＧＭＳＫおよび８ＰＳＫタイプのバーストにより、ＵＳＦは、ミッドアンブル前後のデータ部分の中央にあり、したがって、ＵＳＦを抽出するために、バースト全体が等化される必要がある。ＱＰＳＫ／１６ＱＡＭ／３２ＱＡＭ  ＭＣＳにより、ＵＳＦはミッドアンブルの後に続き、ミッドアンブルからの干渉のみが、ＵＳＦシンボルの抽出に先立って取り消しを必要とする。
【００２８】
ＲＨ−Ｂ  ＷＴＲＵは、ＲＨ−Ａ  ＷＴＲＵの機能性をすべて実装しなければならないので、多大なレベルの複雑性が要求される。ＷＴＲＵは、それに割り当てられたタイムスロット（群）中にすべての無線ブロック中のデータまたは制御ブロック送信を受信するわけではなく、ブロックが別のＷＴＲＵに向けられたものであると判定されると、受信ブロックの残りの部分を破棄する場合もあるが、ＷＴＲＵは依然として、このようなどの受信ブロック上のＵＳＦフィールドも、別のＷＴＲＵにアドレス指定された可能性があっても、抽出し処理することを要求される。別の欠点は、この手法は結果として、受信機における多大なＷＴＲＵ処理の遅延を生じることである。さらに別の問題は、ＥＧＰＲＳ  ＭＣＳ−１からＭＣＳ−４およびＤＡＳ−５からＤＡＳ−７は、ＵＳＦシンボルを、バーストの中央のどこかへマップするので、ＲＨ−Ａ  ＷＴＲＵは、ＵＳＦ抽出に専用のバーストのデータ部分のすべてまたは少なくとも多大な断片を等化する必要があることである。
【００２９】
したがって、ＲＨ  ＷＴＲＵのためのＵＳＦデコードの複雑性を低下させる方法が、大いに望ましい。
【００３０】
ＥＧＰＲＳ２においてＵＳＦデコードをさらに複雑にするのは、ＧＳＭリリース７  ＬＡＴＲＥＤフィーチャーによって提供されるＲＴＴＩ（reduced transmission time interval：短縮送信時間間隔）送信形式に伴う操作によるものである。リリース７以前は、旧来のＥＧＰＲＳは、ＢＴＴＩ（basic transmission time interval：基本送信時間間隔）を用いる旧来の送信形式のみを可能にしていた。典型的なＢＴＴＩ送信は、４つの連続フレームを介して、フレームごとに、割り当てられた同じタイムスロット上で送られる旧来のＥＧＰＲＳ無線ブロックを編成する４つのバーストを含む。たとえば、ＷＴＲＵが、タイムスロット（ＴＳ）＃３を割り当てられた場合、ＷＴＲＵは、ＧＳＭフレームＮ中のＴＳ＃３からバースト＃１を、ＧＳＭフレームＮ＋１中のＴＳ＃３からバースト＃２を、ＧＳＭフレームＮ＋２中のＴＳ＃３からバースト＃３を、最後に、ＧＳＭフレームＮ＋４中のＴＳ＃３からバースト＃４を抽出することによって、無線ブロック全体を受信することになる。したがって、無線ブロック全体のどの送信も、４フレーム×４．６１５ミリ秒のＧＳＭフレーム持続期間、すなわち大体２０ミリ秒かかることになる。ＷＴＲＵが、データの受信のために１より多いＴＳを割り当てられた場合、こうしたタイムスロットのどれもが、２０ミリ秒の持続期間を越えて受信される別々の無線ブロックを含むことに留意されたい。ＧＳＭ標準は、無線ブロックが始まりとき（たとえば、どのＧＳＭフレームがバースト＃１を含むか）を正確に指定するタイミングフレーム規則を定義している。ＧＳＭリリース７は、ＲＴＴＩ送信形式を使うことも可能にし、ＧＳＭフレームＮ中の１対のタイムスロットは第１セットの２つのバーストを含み、ＧＳＭフレームＮ＋１は、無線ブロックを編成する４つすべてのバーストの第２セットの２つのバーストを含む。ＲＴＴＩを使う送信はしたがって、２フレーム×４．６１５ミリ秒、すなわち大体１０ミリ秒かかるだけである。ＲＴＴＩ操作は、ＥＧＰＲＳおよびＥＧＰＲＳ２両方と可能である。所与のどのタイムスロット上でも、ＢＴＴＩおよびＲＴＴＩ  ＷＴＲＵは、ＲＴＴＩ無線ブロックを使ってＢＴＴＩ  ＷＴＲＵにＵＳＦを、およびその反対に送信することを可能にさせたまま、多重化され得る。ＧＳＭ標準は、タイムスロットを、ＢＴＴＩ専用ＷＴＲＵに排他的に、またはＲＴＴＩ専用ＷＴＲＵに排他的に割り当てることを可能にする。旧来のＥＧＰＲＳ機器の場合、共有タイムスロットに多重化される、ＲＬ（低遅延）−ＥＧＰＲＳ  ＷＴＲＵへのＲＴＴＩ送信は、旧来のＵＳＦ形式および旧来のＢＴＴＩ  ＥＧＰＲＳ  ＷＴＲＵの対応するスチールフラグ設定を尊重しなければならない。旧来の１つのＢＴＴＩ時間間隔中にＲＬ−ＥＧＰＲＳ  ＷＴＲＵに送られるどの２つのＲＴＴＩ無線ブロックも、したがって、旧来のＢＴＴＩ  ＥＧＰＲＳ  ＷＴＲＵによるＵＳＦデコード能力に影響を与えないようにするために、正確に同じ変調タイプ（ＧＭＳＫ／ＧＭＳＫまたは８ＰＳＫ／８ＰＳＫ）を選ばなければならない。
【００３１】
ただし、ＥＧＰＲＳ２  ＲＨ−Ａおよび／またはＲＨ−Ｂ  ＷＴＲＵのケースでは原理上、正確に同じ変調タイプを利用するという制限は存在しない。このような制限が存在しない場合、ＥＧＰＲＳ２システムがより高いデータスループットを達成することを認めることになる。というのは、このシステムは、同じＢＴＴＩ間隔上で第１および第２のＲＴＴＩ  ＷＴＲＵ用に適切な変調および符号化方式（ＭＣＳ／ＤＡＳ／ＤＢＳ）を別個にスケジュールすることができるからである。具体的には、第１の間隔におけるＧＭＳＫ  ＭＣＳは、旧来のＥＧＰＲＳ  ＷＴＲＵを使用し、したがってスループットを低下させるＲＴＴＩ／ＢＴＴＩ操作のケースにおいて要求されるように、第２のＲＴＴＩ間隔におけるＧＭＳＫ  ＭＣＳを送ることをネットワークに強制しない。というのは、ＥＧＰＲＳ２  ＷＴＲＵは、この状況を適切に取り扱う（補正デコード方式を使う）ように設計することができるからである。ただし、結論としては、ＢＴＴＩ  ＥＧＰＲＳ２  ＷＴＲＵは、２バーストからなる第１のセットに対して第１の変調方式、および２バーストからなる第２のセットに対して別の異なる変調方式を用いる、バースト用のＵＳＦの、可能な広範な組合せを認識することができ、したがってデコードの複雑性を、現在の最高水準さえも超えて大いに増大させる。したがって、ＥＧＰＲＳ２  ＷＴＲＵは、第１のＲＴＴＩ間隔における第１の変調タイプを検出し、対応する第１のＵＳＦ位置セットおよび対応するＵＳＦ符号化テーブルを判定し、次いで第２のＲＴＴＩ間隔における第２の変調タイプを、第２のＵＳＦ位置セットおよびそれぞれのＵＳＦ符号化テーブルとともに判定する必要があるので、不利益を被る（処理時間が増大する）。上に示したように、ＵＳＦ位置は、すべての変調方式（少なくとも３通りのセット）に伴って変わるので、ＥＧＰＲＳ２無線ブロック送信に関連したＲＴＴＩ／ＢＴＴＩ操作モードの追加は、ＵＳＦデコード試行に対して望ましくないほど多数の組合せを生じる。一部のケース（たとえば、ＧＭＳＫ）では、第１または第２のＲＴＴＩ間隔の間の変調バリエーションにより、および対応するＵＳＦ符号化テーブルが各変調および符号化（たとえばＭＣＳ／ＤＡＳ／ＤＢＳ）方式ごとに変わる（５より多い符号化テーブル）ので、さらに多くの組合せが存在する。
【００３２】
したがって、ＥＧＰＲＳ２送信とともに混合変調ＲＴＴＩ／ＢＴＴＩ間隔を利用することによって、ＷＴＲＵ  ＵＳＦデコードに関連した処理の複雑性を単純化し、より高いスループットを達成するための手順が求められる。
【発明の概要】
【課題を解決するための手段】
【００３３】
方法および機器が、ＲＴＴＩおよびＢＴＴＩ機器が同じタイムスロット（群）において動作する場合に、ＥＧＰＲＳ２通信バーストの、信頼できる低複雑度デコードを可能にする。アップリンク状態フラグ（ＵＳＦ）マッピングのための様々な構成が、通信バースト中の一部または全部のＵＳＦチャネル符号化ビットの調整可能なビット置換を利用する。スループットを高め、かつ／または複雑性を低下させるための、送信機および受信機におけるシンボルマッピング段階の調整可能な使用を可能にする構成も開示される。許容可能なマッピング規則は、受信機および送信機に知られており、したがってこの情報のデコードの複雑性を低下させる。ＥＧＰＲＳ２通信バースト用のスループットを増大するために、信頼できるＵＳＦデコードを可能にし、かつデコーダの複雑性を低下させる、ＢＴＴＩ間隔中の異なる変調タイプまたはＥＧＰＲＳ／ＥＧＰＲＳ２変調および符号化方式のＲＴＴＩ送信が導入される。
【図面の簡単な説明】
【００３４】
添付の図面とともに例として挙げられる以下の説明により、より詳細な理解が得られよう。
【００３５】
【図１】３ＧＰＰワイヤレス通信システムの例を示す図である。
【図２】２つのトランシーバ、たとえば、例示的なＷＴＲＵおよびノードＢ（すなわち、発展型ノードＢ）を示す機能ブロック図である。
【図３】２０ｍｓ以内で送られるＵＳＦ向けのバーストマッピングを示す図である。
【図４】ＭＣＳ−５およびＭＣＳ−６用のバーストマッピングを示す図である。
【図５】ＭＣＳ−７、ＭＣＳ−８およびＭＣＳ−９用のバーストマッピングを示す図である。
【図６】ＲＥＤＨＯＴ  Ｂ（ＤＢＳ−５からＤＢＳ−１２）のケースでのＵＳＦのバーストマッピングを示す図である。
【図７Ａ】従来技術による単変調デコード技術と、異なる変調タイプを処理し、そうしたタイプからのデコードを行うことができる、図７Ｂに示す実施形態との比較を示す図である。
【図７Ｂ】従来技術による単変調デコード技術と、異なる変調タイプを処理し、そうしたタイプからのデコードを行うことができる、図７Ｂに示す実施形態との比較を示す図である。
【図８】ＵＳＦデコード手順例を示すフロー図である。
【図９】変調タイプを判定する実施形態を示す図である。
【図１０】ＢＴＴＩモードで動作するＥＧＰＲＳ  ＷＴＲＵ用のデコード手順のための実施形態を示す図である。
【発明を実施するための形態】
【００３６】
本明細書において言及する場合、「ＷＴＲＵ（ワイヤレス送受信ユニット）」という用語は、ＵＥ（ユーザ機器）、移動局、固定もしくは携帯電話加入者ユニット、ページャ、セルラー電話、ＰＤＡ（携帯情報端末）、コンピュータ、またはワイヤレス環境において動作することが可能な他のどのタイプのユーザ装置も含むが、それに限定されない。本明細書において言及する場合、「基地局」という用語は、ノードＢ、サイトコントローラ、アクセスポイント（ＡＰ）、またはワイヤレス環境において動作することが可能な他のどのタイプのインターフェイス装置も含むが、それに限定されない。変数「ｘ」、「ｙ」、「ｚ」は、所与の変調および符号化方式に対応する、任意であり入換え可能な数を指し、たとえばＭＣＳ−ｘでは、ｘは１から９の範囲であり、ＤＡＳ−ｙでは、ｙはＤＢＳ−ｚの５から１２の範囲であり、ｚは５から１２の範囲であり得る。
【００３７】
図１を参照すると、ワイヤレス通信ネットワーク（ＮＷ）１０は、ＷＴＲＵ２０、およびセル４０内の１つまたは複数のノードＢ（ＮＢまたは発展型ＮＢ（evolved NB：ｅＮＢ）３０を備える。ＷＴＲＵ２０は、パケット送信を符号化する、開示する方法を実装するように構成されたプロセッサ９を備える。ノードＢ３０はそれぞれ、やはりパケット送信を符号化する、開示する方法を実装するように構成されたプロセッサ１３を有する。
【００３８】
図２は、トランシーバ１１０、１２０の機能ブロック図である。典型的なトランシーバに含まれる構成要素、たとえば、ＷＴＲＵやノードＢに加え、トランシーバ１１０、１２０は、本明細書で開示する方法を実施するように構成されたプロセッサ１１５、１２５と、プロセッサ１１５、１２５と通信する受信機１１６、１２６と、プロセッサ１１５、１２５と通信する送信機１１７、１２７と、ワイヤレスデータの送信および受信を容易にするために受信機１１６、１２０および送信機１１７、１２７と通信するアンテナ１１８、１２８とを含む。さらに、受信機１１６、送信機１１７およびアンテナ１１８は、１台の受信機、送信機およびアンテナでもよく、それぞれ、個々の複数の受信機、送信機およびアンテナを含んでもよい。送信機１１０は、ＷＴＲＵの所に置くことができ、多数の送信機１１０が基地局の所に置かれてもよい。受信機１２０は、ＷＴＲＵ、基地局、または両方に置くことができる。
【００３９】
ビット置換が、ＲＬＣ／ＭＡＣヘッダビットに対して用いられ、デコーダ側での受信機の複雑性を低下させるための、送信機側で利用される低複雑度技術として認識される。ビット置換は、可能な組合せの総数を減少させるために、ＥＧＰＲＳ２  ＤＬ（ＲＥＤＨＯＴ）送信用に定義されるＭＣＳ−１からＭＣＳ−４、ＤＡＳ−５からＤＡＳ−１２、およびＤＢＳ−５からＤＢＳ−１２方式の１つまたは複数の定義済みＵＳＦビット（群）／シンボル（群）に適用することができる。
【００４０】
ＵＳＦビット（群）／シンボル（群）は、ＲＬＣ／ＭＡＣヘッダ情報（データ、ＰＡＮなど）を搬送するバースト（たとえばビット（群）／シンボル（群））中の他のどの位置とも置換することができる。エンコードする際に適用されるマッピング規則は、受信機で知られているので、ビット置換は、ＲＬＣ／ＭＡＣヘッダ情報（データ、ＰＡＮなど）を再構築するように、受信機側で逆転することができる。ビット置換手順は、バーストフォーマット段階で利用されるマッピング規則として、送信機および受信機内で符号化することができ、たとえばビットＢ＿ｎ１とＢ＿ｍ１を、ビットＢ＿ｎ２とＢ＿ｍ２を、および以下同様に「交換する」（置換する）。
【００４１】
完全または部分的ビット置換が、他のＲＥＤＨＯＴバーストタイプのビット／シンボル位置へのＭＣＳ−５からＭＣＳ−９タイプＵＳＦ符号化およびマッピング（たとえばＥＧＰＲＳ２）を利用する新規ＲＥＤＨＯＴレベルＡ（ＲＨ−Ａ）方式ＤＡＳ−５からＤＡＳ−７に、ＣＳ−４タイプのＵＳＦ符号化およびマッピングを利用するＭＣＳ−１からＭＣＳ−４方式など、ＥＧＰＲＳのＲＥＤＨＯＴバージョンに適用される。
【００４２】
ＭＣＳ−１からＭＣＳ−４、および／またはＲＨ−Ａ  ＤＡＳ−５からＤＡＳ−７方式を用いてエンコードされるＵＳＦビットの全部または選ばれたサブセットは、ＵＳＦビット位置の組合せの総数を減少させ、それに比例してＷＴＲＵ実装の複雑性を低下させるために、ＲＨ−Ｂ  ＤＢＳ−５からＤＢＳ−１２エンコードと同様に、トレーニングシーケンスに続くシンボル／ビット位置の全部、またはサブセットに置換することができる。
【００４３】
１つまたは複数のＥＧＰＲＳまたは新規ＲＥＤＨＯＴ変調および符号化方式のビット置換は、シンボル／ビットへのＵＳＦマッピングコンステレーションの総数を、ＲＥＤＨＯＴ送信用のバーストまで減少させるために、符号化されたＵＳＦビットの現在の定義済みビット位置に適用され、別の位置に、またはＭＣＳ−１からＭＣＳ−４、ＤＡＳ−５からＤＡＳ−１２および／もしくはＤＢＳ−５からＤＢＳ−１２方式の選ばれた別のサブセットに適用される。
【００４４】
以下の考察に関して、項「Ｎ」は、３つのＵＳＦ情報ビットから導出される、結果として得られるチャネル符号化ビットを表し、ＮＸ（Ｘ＝１，ｎ）は、符号化規則Ｘに基づいて、３つのＵＳＦ情報ビットから導出されるチャネル符号化ビットであり、ＰＸ（Ｘ＝１，ｎ）は、ＮＸビットがその上にマップされる（置換される）ことになるビット位置である。値ｎは、符号化規則の番号を表す。以下の例は３つの符号化規則に言及するが、任意の数の符号化規則が存在し得るので、ｎは任意の整数値を表し得る。
【００４５】
ＵＳＦ符号化規則は、ある特定のＥＧＰＲＳまたはＥＧＰＲＳ２  ＭＣＳに適用することができる。ＭＣＳがＢＴＴＩ構成で送られるとき、（ａ）３つのＵＳＦ情報ビットからの、Ｎ１個のチャネル符号化ＵＳＦビットの導出法、および（ｂ）無線ブロックのバーストＢ０、Ｂ１、Ｂ２、Ｂ３中のこうしたＮ個の結果ビットをマップするための、いずれかのビット位置セット｛Ｐ１｝の指定、を記述する第１のＵＳＦ符号化規則が適用される。ただし、ＭＣＳがＲＴＴＩ構成で送られるとき、（ａ）Ｎ２個のチャネル符号化ＵＳＦビットの導出法、および（ｂ）ビット位置セット｛Ｐ２｝、を記述する第２のＵＳＦ符号化規則が適用される。Ｎ１およびＮ２、ならびに｛Ｐ１｝または｛Ｐ２｝は、部分的に同じでよい。第２のＵＳＦ符号化規則を用いるＲＴＴＩ構成を用いて無線ブロックを送る予定の送信機は、以下のプロセスを実装することができる。すなわち、送信機は、無線ブロックが、第１のＵＳＦ符号化規則を用いてＢＴＴＩモードで送られたと仮定して、無線ブロックをエンコードする。続いて、Ｎ１＝Ｎ２である限り、送信機は、ビット位置｛Ｐ１｝上に含まれるビットを、ビット位置｛Ｐ２｝に含まれるビットで置換する。あるいは、ＭＣＳがＲＴＴＩ／ＢＴＴＩ混合構成で送られる場合、第３のＵＳＦ符号化規則Ｎ３、｛Ｐ３｝が適用される。
【００４６】
受信機（ＷＴＲＵ）は、受信無線ブロック中のＵＳＦをどのようにしてデコードするかを、明確に知っている。ＲＬＣ／ＭＡＣセットアップ信号通知は、受信無線ブロックがＢＴＴＩ、ＲＴＴＩまたはＲＴＴＩ／ＢＴＴＩモードのどれで動作するかをＷＴＲＵに示し、この通知は、ＵＳＦをデコードするためにＷＴＲＵによって適用されなければならない特定のＵＳＦ符号化規則を示す。上述したケースでは、ＵＳＦ符号化規則は、同一でよい。たとえば、第１のＵＳＦ符号化規則、第２のＵＳＦ符号化規則または第３の符号化規則は、同じ規則でよい。
【００４７】
現在のＵＳＦビット／シンボルおよび／またはその位置のサブセットは、別のＲＥＤＨＯＴまたはＥＧＰＲＳ方式のＵＳＦビット／シンボル位置に置換することができる。あるいは、ＵＳＦビット／シンボルおよび／またはその位置のセット全体が、別のＥＧＰＲＳまたはＲＥＤＨＯＴ方式のものに置換される。
【００４８】
ＵＳＦビット／シンボル位置は、ＲＥＤＨＯＴパケットデータチャネル（ＰＤＣＨ）上で、各バーストに対してＥＧＰＲＳ  ＭＣＳ−５からＭＣＳ−９（およびＤＡＳ−５からＤＡＳ−７）を適用することによって、無線ブロックの第１のバーストにおける｛０，５０，１００｝、第２のバースト中の｛３４，８４，９８｝、第３のバースト中の｛１８，６８，８２｝、および第４のバースト中の｛２，５２，６６｝から、新規の位置｛１５０，１５１，１６８〜１６９，１７１〜１７２，１７７，１７８，１９５｝の全部またはサブセットに送信されるとき、ＥＧＰＲＳ  ＭＣＳ−１からＭＣＳ−４を用いて置換することができる。当業者には明らかなように、ＭＣＳ−１からＭＣＳ−４の１６個のＵＳＦ符号化ビットは、こうした選ばれたビット位置のサブセットにも、同じ位置にも直接マップすることができる。
【００４９】
あるいは、３つのＵＳＦビットまたは１６個のＵＳＦ符号化ビット（ＭＣＳ−１からＭＣＳ−４方式が使われる場合）から、ＭＣＳ−５からＭＣＳ−９を用いて３６ビットを導出するのに、同様の単純マッピング拡張技術が利用され得る。
【００５０】
ＥＧＰＲＳ  ＤＡＳ−５からＤＡＳ−７（現時点で、ＥＧＰＲＳ  ＭＣＳ−５からＭＣＳ−９と同じ）によって定義されるＵＳＦビット／シンボル位置｛１５０，１５１，１６８〜１６９，１７１〜１７２，１７７，１７８，１９５｝は、各バースト中に、ＲＨ−Ａ  ＤＡＳ−８からＤＡＳ−１２に対応するＵＳＦビット／シンボル位置（すなわち、トレーニングシーケンスのすぐ後に続く３つのシンボル）に置換することができる。
【００５１】
ＥＧＰＲＳ  ＭＣＳ−１からＭＣＳ−４、および／もしくはＤＡＳ−５からＤＡＳ−７またはこうした方式の組合せのＵＳＦビット／シンボル位置は、ＲＨ−Ａ  ＤＡＳ−８からＤＡＳ−１２に対応するＵＳＦビット／シンボル位置（すなわち、トレーニングシーケンスのすぐ後に続く３つのシンボル）に置換することができる。たとえば、ＭＣＳ−１からＭＣＳ−４およびＤＡＳ−５からＤＡＳ−７のＵＳＦビット位置を、ＤＡＳ−７からＤＡＳ−１２方式の定義済みＵＳＦ位置にビット置換することを選ぶとき、２通りのビット置換関連づけおよびＵＳＦ符号化ビット繰返し／拡張方式が使用される。
【００５２】
ＭＣＳ−ｘ、ＤＡＳ−ｙ、またはＤＢＳ−ｚの１つまたはサブセットのＵＳＦビット／シンボルエンコード／マッピング手順は、別の符号化方式または符号化方式のサブセットのものに変更することができる。たとえば、１つまたは複数のＭＣＳ−ｘ、ＤＡＳ−ｙ、ＤＢＳ−ｚのＵＳＦ符号化ビットの数は、Ｎ１からＮ２個のビットから減少され、または増加される。この増減は、ＵＳＦを、少なくとも１つの他のＭＣＳ−ｘ、ＤＡＳ−ｙ、またはＤＢＳ−ｚのデコード方式に従って適応させ、可能性（可能な組合せ）の数およびデコードの複雑性を低下させる。
【００５３】
あるいは、ＭＣＳ−ｘ、ＤＡＳ−ｙ、またはＤＢＳ−ｚの１つまたはサブセットのＵＳＦ符号語生成手順／エンコードテーブルは、デコード対象となる可能な組合せの数を減少させるために、別の符号化方式のものに変更される。
【００５４】
あるいは、ＵＳＦ符号化ビットを、ＭＣＳ−ｘ、ＤＡＳ−ｙ、またはＤＢＳ−ｚ方式の１つまたはサブセットのシンボルにマップするために選ばれた手法は、サブセット符号化方式またはその派生物として、ＥＧＰＲＳ／ＥＧＰＲＳ２基準線形式に比較して、可能なＵＳＦ構成の総数を減少させるために、ＭＣＳ−ｘ、ＤＡＳ−ｙ、またはＤＢＳ−ｚ方式の他の１つまたは別のサブセットに合わせて適応される。
【００５５】
ＲＨ−Ａ方式の１つまたは複数は、ＲＨ−Ｂ方式に適応させることができる。たとえば、ＱＰＳＫベースのＤＢＳ−５およびＤＢＳ−６のＵＳＦシンボル／符号語は、ＲＨ−ＡおよびＲＨ−Ｂ方式を適応させるために、１６／３２ＱＡＭベースのＤＡＳ−８からＤＡＳ−１２／ＤＢＳ−７からＤＢＳ−１２（またはその反対）の対応するＵＳＦシンボル／符号語にさせられる。こうすることにより、混合変調コンステレーションの数が合計で４に減少されるという恩恵がすぐに得られる。
【００５６】
別の実施形態では、ＥＧＰＲＳ  ＭＣＳ、および／またはＥＧＰＲＳ２  ＤＡＳ−ｘまたはＤＢＳ−ｙ変調および符号化方式のある特定のまたは選択されたサブセットに対するＵＳＦビット／シンボルマッピング手順および／またはＵＳＦ符号語生成は、ＢＴＴＩおよびＲＴＴＩ  ＷＴＲＵが同じＰＤＣＨ資源上に多重化されるかどうかに依存して、無線ブロックをＢＴＴＩまたはＲＴＴＩ送信に符号化するのに使われる。たとえば、１つまたは複数のＭＣＳ−ｘ、ＤＡＳ−ｙおよび／またはＤＢＳ−ｚ方式へのＵＳＦビット／シンボルマッピング手順および／またはＵＳＦ符号語生成は、同じ無線ブロックがＲＴＴＩモード、またはＢＴＴＩモード、またはＢＴＴＩ／ＲＴＴＩ共存モードで送られる場合、そのブロックをエンコードするのに使われるとき、基準ＢＴＴＩ形式に従って変更される。
【００５７】
一実施形態では、１つまたは複数のＭＣＳ−ｘ、ＤＡＳ−ｙ、またはＤＢＳ−ｚのＵＳＦビット／シンボルエンコード方式および／またはＵＳＦ符号語生成テーブルは、別の方式（たとえばＭＣＳ−ｘ、ＤＡＳ−ｙ、またはＤＢＳ−ｚ）のものに基づく。たとえば、そのすべてが等価であるＵＳＦエンコードテーブル、または決定論的マッピング規則のバースト単位部分の完全または部分的繰返しは、送信機内および受信機内でこのプロセスを実装するのに使うことができる。
【００５８】
ＷＴＲＵは、ある手順を実装するが、この手順では、当業者には明らかなように、一時ブロックフロー（ＴＢＦ）ＤＬ割当ておよび同様のメッセージなど、ネットワークから受信される構成メッセージに依存して、受信機は、パケットデータチャネル（ＰＤＣＨ）がＥＧＰＲＳ操作に、それともＲＥＤＨＯＴ操作に割り当てられるかに依存して、旧来のＥＧＰＲＳ  ＭＣＳ−１からＭＣＳ−４をデコードするように構成される。第１のケースでは、ＥＧＰＲＳバーストは、従来の方法を用いて受信され処理される。第２のケースでは、ＷＴＲＵは、そのデコーダを、上述した、たとえばビット置換、ＵＳＦビット／シンボルに対する拡張など、どのＵＳＦデコード技術の存在も考慮するように構成する。
【００５９】
当業者には明らかなように、ＭＣＳ−１からＭＣＳ−４、ＤＡＳ−５からＤＡＳ−１２、およびＤＢＳ−５からＤＢＳ−１２におけるＵＳＦビット／シンボルにビット置換を適用して、可能な組合せの総数を減少させる方法は、Ｒ７でのＧＥＲＡＮ遅延低減（ＬＡＴＲＥＤ）を可能にする際、すなわち、ＲＨ−ＡまたはＲＨ−Ｂを伴うＲＴＴＩ操作を考慮に入れる際、個々に拡張することも適用することもできる。
【００６０】
ＢＴＴＩモードで動作するＥＧＰＲＳ２  ＷＴＲＵは、割り当てられたタイムスロット（群）におけるＢＴＴＩ期間中の第２のＲＴＴＩ送信と比較すると、可能性としてはＥＧＰＲＳまたはＥＧＰＲＳ２変調および符号化方式の異なる変調タイプ／セットを使う第１のＲＴＴＩ送信にあるＵＳＦをデコードすることができる。図７Ｂは、本実施形態と図７Ａにおける従来技術との比較を示す。図７Ｂは、４つのフレーム（ＮからＮ＋３）を示し、各フレームは、無線ブロックを編成する４つのバーストのうち２つを搬送する２つのタイムスロット（ＴＳ２、ＴＳ３）を含む。図７Ａで、無線ブロック全体を編成する４つのうちの各タイムスロットは、同じ変調タイプをもたなければならないので、ＲＴＴＩ送信の第１の２つのバーストからなる第１のフレームと、最後の２つのバーストを含む第２のフレームは、同じ変調タイプをもつ。
【００６１】
図７Ｂに示すように、ＲＴＴＩ送信の第１の２つのバーストを含むフレームと、第２の２つのバーストを含むフレームは、異なる変調タイプをもち得る。この場合、第１の２つのフレームの変調タイプが、第２の２つのフレームの変調タイプとは異なるとき、ＷＴＲＵ１は、４つのバーストからＵＳＦを抽出する。この例では、例示目的のために、第１のフレーム７２０および第２のフレーム７３０は、８ＰＳＫ変調を用いてエンコードされ、第３のフレーム７４０および第４のフレーム７５０は、１６ＱＡＭを用いてエンコードされる。４つすべてのバーストを処理することによって、ＷＴＲＵ１は、ＵＳＦを正しくデコードすることができる。
【００６２】
ＵＳＦデコード手順の別の実施形態が、図１０に示されている。１０００で、ＷＴＲＵ（または他の受信装置）が、ＢＴＴＩ間隔の割り当てられたタイムスロットにおいて４つのバーストを受信する。第１の２つのバーストの変調タイプ（タイプ１）が、１０１０で判定される。第２の２つのバーストの変調タイプ（タイプ２）が、１０２０で判定される。あるいは、ＷＴＲＵが、第２のセット中の１つまたは複数のバーストを依然として受信し、または処理している間に、第１のセット中の１つまたは複数の受信バーストの変調タイプが判定されてもよい。
【００６３】
変調タイプ（タイプ１、タイプ２）が、１０３０で比較され、タイプが同じ場合、ＵＳＦおよびＲＬＣ／ＭＡＣヘッダが、１０４０でデコードされる。１０５０で、ＵＳＦが、割り当てられたＵＳＦである場合、データがアップリンクチャネル上で送信され得る。ＵＳＦが、割り当てられたＵＳＦではない場合、ＷＴＲＵは、１０００で、別の４つのバーストを受信するのを待つ。
【００６４】
１０３０で、変調タイプが同じでない場合、１０８０で、特定の変調組合せ（タイプ２と組合せされたタイプ１）が許容されるかどうか判定される。許容される場合、ＵＳＦは、１１１０でデコードされる。次いで、１０５０で、デコードされたＵＳＦが、割り当てられたＵＳＦと比較され、こうしたＵＳＦが同じ場合、データは、アップリンクチャネル上で送信され得る。ＵＳＦが、割り当てられたＵＳＦではない場合、ＷＴＲＵは、１０００で、別の４つのバーストを受信するのを待つ。
【００６５】
１０８０で変調の組合せが許容されない場合、デコードは失敗し、ＷＴＲＵは、１０００で、別の４つのバーストを受信するのを待つ。
【００６６】
あるいは、第１および第２のＲＴＴＩ間隔中の許容可能な変調タイプ（または等価には、ＭＣＳ−ｘ、ＤＡＳ−ｙ、ＤＢＳ−ｚから取り出される許容可能なサブセット）は制限されない。この場合、受信機は、１１１０のＵＳＦデコードステップに直進する。
【００６７】
別の実施形態では、第１および第２のＲＴＴＩ間隔中の許容可能な変調タイプ（または等価には、ＭＣＳ−ｘ、ＤＡＳ−ｙ、ＤＢＳ−ｚから取り出される許容可能なサブセット）は制限される。この制限は、ＵＳＦをデコードするために受信機によって処理されなければならない可能な組合せの数を減少させるために、ＢＴＴＩ間隔中の、第１または第２のＲＴＴＩ間隔中の変調タイプ（またはＭＣＳ−ｘ、ＤＡＳ−ｙ、ＤＢＳ−ｚのサブセット）の選択に依存し得る。本実施形態の例示的なフロー図が、図８に示されている。８２０で、第１のＲＴＴＩ間隔の第１の変調タイプが検出される。８６０で、受信機（Ｒｘ）が、第２のＲＴＴＩ間隔における許容可能な変調タイプを検出するように構成される。８７０で、ＵＳＦが抽出される。８８０で、ＵＳＦがデコードされる。次いで８８２で、デコードされたＵＳＦが、割り当てられたＵＳＦと比較され、こうしたＵＳＦが等しい（同じ）場合、データはアップリンク（ＵＬ）８９０で送信することができ、そうでなければ、検出８２０、構成８６０、抽出８７０、およびデコード８８０が繰り返される。
【００６８】
所与の１つまたは複数の変調タイプ（ＧＭＳＫ、８ＰＳＫ、ＱＰＳＫ、１６ＱＡＭ、３２ＱＡＭ）への制限は、ＭＣＳ、ＤＡＳおよび／またはＤＢＳ変調および符号化方式の、具体的に選ばれたサブセットに対する制限と等価である。たとえば、ＧＭＳＫ専用への変調タイプの制限は、ＣＳ−１からＣＳ−４およびＭＣＳ−１からＭＣＳ−４のみを許容することと等価である。変調タイプ８ＰＳＫは、ＭＣＳ−５からＭＣＳ−９およびＤＡＳ−５からＤＡＳ−７を含む。変調タイプ３２ＱＡＭは、ＤＡＳ−１０からＤＡＳ−１２およびＤＢＳ−１０からＤＢＳ−１２を含む。
【００６９】
第１または第２のＲＴＴＩ間隔（またはＭＣＳ−ｘ、ＤＡＳ−ｙ、ＤＢＳ−ｚの選ばれたサブセット）において起こり得る、変調および符号化方式の可能な変調タイプまたはサブセットの制限は、ネットワーク、ＷＴＲＵ、または両方において実装される規則によって与えられ得る。第２のＲＴＴＩ間隔の可能な組合せの制限は、先行する第１のＲＴＴＩ間隔中に起こる変調および符号化方式の変調タイプ、またはサブセットに依存する。あるいは、第１のＲＴＴＩ間隔の可能な組合せの制限は、第２のＲＴＴＩ間隔（以降のＲＴＴＩ間隔）中に起こるＥＧＰＲＳまたはＥＧＰＲＳ２変調および符号化方式の変調タイプ、またはサブセットに依存する。あるいは、制限は、第１および第２のＲＴＴＩ間隔用の変調および符号化方式の許容可能な変調タイプまたはサブセットに対して課される。好ましくは、制限規則は固定され、ＷＴＲＵおよびネットワーク両方に対して知られている。あるいは、制限規則は、たとえば、無線リンク、ＴＢＦを確立するのに使われ、または無線資源を割り当てる、ＲＬＣ／ＭＡＣメッセージなどの信号通知により構成することができる。
【００７０】
さらに、後続ＲＴＴＩ間隔中に互いの後に続き得る、ＥＧＰＲＳまたはＥＧＰＲＳ２変調および符号化方式の可能な変調タイプ、またはサブセットの制限は、ある特定のＷＴＲＵがサポートする機能セットに依存し得る。ＲＨ−Ａ  ＷＴＲＵは、ＲＨ−Ｂ  ＤＢＳ−ｚ方式からＵＳＦをデコードすることを要求されないので、ＲＨ−Ａ  ＷＴＲＵは、ＲＨ−Ｂ  ＷＴＲＵ（比較的多数の組合せに対してデコードする必要がある）とは対照的に、異なる制限セットを使用することができる。ＥＧＰＲＳまたはＥＧＰＲＳ２変調および符号化方式の許容可能な変調タイプまたは（サブ）セットに対して課される制限は、２通りの変調タイプの部分的符号語が対にされたとき、一定の異常ケース（線外値の意味において、符号語組合せの間の非常に低いハミング距離）を排除し、除外して、一般的ケースにおけるＵＳＦ検出性能を向上するために、ＵＳＦ符号語およびその最小ハミング距離に応じて選ぶことができる。
【００７１】
以下のテーブルは、ＥＧＰＲＳまたはＥＧＰＲＳ−２変調および符号化方式の許容可能な変調タイプまたは（サブ）セットに対するこのような制限の一例を示す。この具体例は、第２のＲＴＴＩ間隔（水平）中の、許容される変調タイプと、それに対して許容されない変調タイプのリストを、第１のＲＴＴＩ間隔（垂直）において利用される変調タイプに応じて挙げている。この例示的例は、ただ１つの可能なトレードオフを表し、一般的ケース（原理上、任意の変調タイプが他の任意のものに続き得る）と比較した、スループットの低下と、それに対するデコード単純化との間の、他の可能なトレードオフに拡張可能である。
【００７２】
【表１】
0005386494.tif 000002
【００７３】
図９は、このような例示的な制限実施形態のフロー図を示す（かつ、図８の検出８２０で何が起こるかの記述も表す）。第１のＲＴＴＩにおける変調タイプの検出８２０は８２４で始まり、ここで第１のＲＴＴＩ間隔が調べられて、ＧＭＳＫ変調であるかどうか判定する。判定が肯定的な場合、８２６で、第２のＲＴＴＩ間隔は、ＧＭＳＫ、８ＰＳＫ、１６ＱＡＭまたは３２ＱＡＭの変調タイプのどのタイプでもよい。判定が肯定的でない場合、第１のＲＴＴＩ間隔が同様に調べられて、８２８で、８ＰＳＫであるかどうか判定する。判定が肯定的な場合、８３０で、第２のＲＴＴＩ間隔は、ＧＭＳＫ、８ＰＳＫまたはＱＰＳＫの変調タイプのどのタイプでもよい。そうでなければ、プロセスは、第１のＲＴＴＩ間隔を調べ続けて、８３２で、ＱＰＳＫであるかどうか判定する。判定が肯定的な場合、８３４で、第２のＲＴＴＩ間隔は、８ＰＳＫ、ＱＰＳＫ、１６ＱＡＭ、または３２ＱＡＭの変調タイプのどのタイプでもよい。そうでなければ、プロセスは、第１のＲＴＴＩ間隔を調べ続けて、８３６で、１６ＱＡＭであるかどうか判定する。判定が肯定的な場合、８３８で、第２のＲＴＴＩ間隔は、ＧＭＳＫ、ＱＰＳＫ、１６ＱＡＭまたは３２ＱＡＭの変調タイプのどのタイプでもよい。そうでなければ、プロセスは、第１のＲＴＴＩ間隔を調べ続けて、８４０で、３２ＱＡＭであるかどうか判定する。判定が肯定的な場合、８４２で、第２のＲＴＴＩ間隔は、あらゆるタイプでよい。次に、第２のＲＴＴＩにおける変調タイプが８４４で検出され、調べられて、８４６で、許容される変調タイプであるかどうか判定する。判定が肯定的な場合、ＵＳＦは、８４８でデコードされ、続いてデータが、アップリンク上で送信され得る。そうでなければ、ＵＳＦは、８５０でデコードされず、データは送信されない。いずれのケースでも、プロセスは、次のＲＴＴＩ間隔（データ送信）を待つ。
【００７４】
システム内で利用される複数の制限規則セット（第１のＲＴＴＩ間隔と第２のＲＴＴＩ間隔との間の、許容される変調タイプ遷移と等価である）が存在し得る。制限規則は、ある特定のＰＤＣＨ資源に多重化される、ＷＴＲＵのタイプおよび機能に依存し得る。１つの制限規則のケース、または制限規則セット（多数の規則）がある場合には、このような制限規則は、ＴＢＦ／資源確立／割当てフェーズ中にＷＴＲＵに通知しても、ＥＧＰＲＳ  ＲＬＣ／ＭＡＣ信号メッセージの拡張を介して同様に伝達しても、ＷＴＲＵおよび／またはネットワーク内で実装される固定規則によって与えてもよい。これは、ＰＡＣＫＥＴ  ＤＯＷＮＬＩＮＫ  ＡＳＳＩＧＮＭＥＮＴ、ＭＵＬＴＩＰＬＥ  ＴＢＦ  ＤＯＷＮＬＩＮＫ  ＡＳＳＩＧＮＭＥＮＴ、ＰＡＣＫＥＴ  ＵＰＬＩＮＫ  ＡＳＳＩＧＮＭＥＮＴ、ＭＵＬＴＩＰＬＥ  ＴＢＦ  ＵＰＬＩＮＫ  ＡＳＳＩＧＮＭＥＮＴ、ＰＡＣＫＥＴ  ＴＩＭＥＳＬＯＴ  ＲＥＣＯＮＦＩＧＵＲＥ、ＭＵＬＴＩＰＬＥ  ＴＢＦ  ＴＩＭＥＳＬＯＴ  ＲＥＣＯＮＦＩＧＵＲＥ、またはＰＡＣＫＥＴ  ＣＳ  ＲＥＬＥＡＳＥ  ＩＮＤＩＣＡＴＩＯＮメッセージなどのメッセージを含み得る。
【００７５】
別の実施形態では、正しいＵＳＦデコード形式、ＲＴＴＩもしくはＢＴＴＩまたは混合ＲＴＴＩ／ＢＴＴＩ間隔における無線ブロックの順序、あるいはＢＴＴＩ送信などの基準エンコードケースに比較して、ＵＳＦデコード形式が変更されるかどうか、または受信バースト（群）もしくは無線ブロックがＢＴＴＩ間隔中の第１もしくは第２のＲＴＴＩ間隔に属すのか（最終的には、一部のバースト部分の異なる設定が該当し得る）を受信機が判定するのを援助するために、異なるスチールフラグ設定が、ＥＧＰＲＳまたはＥＧＰＲＳ２  ＭＣＳ−ｘ、ＤＡＳ−ｙおよび／またはＤＢＳ−ｚ  ＥＧＰＲＳ２送信の１つまたは選ばれたサブセットに適用され得る。これは、ＢＴＴＩ共存（このような特徴がサポートされる場合）あり／なしのＲＴＴＩ  ＵＳＦモード指示を含み得る。
たとえば、ＥＧＰＲＳ２  ＭＣＳ−ｘ、ＤＡＳ−ｙおよび／またはＤＢＳ−ｚ無線ブロック（もしくは期間単位）用の１つまたは複数の異なるスチールフラグ構成が、デコード対象となるべきであるとともに、受信機が正しいＵＳＦデコード形式を判定して、受信バースト（群）、無線ブロックなどを調べるのを助けるための正しいＵＳＦ形式、ＢＴＴＩ構成中で送られるＵＳＦ、ＲＴＴＩ構成中で送られるＵＳＦ、ＢＴＴＩ共存モードを使うＲＴＴＩ構成中で送られるＵＳＦの１つまたは複数を示すのに使われてよく、受信無線ブロックは、ＢＴＴＩ間隔中の第１のＲＴＴＩ間隔か、第２のＲＴＴＩ間隔に対応する。
【００７６】
例示目的のために、および一般性を失わずに、スチールフラグは、その第１／第２の連続ＲＴＴＩ間隔中のＤＡＳ−８／９のケースにおいて、以下のようにセットすることができる。
【００７７】
【表２】
0005386494.tif 000003
【００７８】
ある特定のＵＳＦモードを示すように選ばれた所与のスチールフラグ符号語の具体的値は、このような値が示されるコンテキスト／モードに関して一意である限り、特定のどの値でもよい。
【００７９】
ＥＧＰＲＳ２  ＭＣＳ−ｘ、ＤＡＳ−ｙおよび／またはＤＢＳ−ｚ変調および符号化方式の異なるセットに対しては、別個のスチールフラグ構成が利用され得る。
【００８０】
ＭＣＳ−１からＭＣＳ−４、ＤＡＳ−５からＤＡＳ−１２、ＤＢＳ−５からＤＢＳ−１２においてＵＳＦビット／シンボルのＵＳＦ符号化および位置マッピングを適応して、ＷＴＲＵ実装における異なるバーストタイプに低減させ適応させる異なる多くの等価なやり方がある。
【００８１】
特徴および要素が、具体的に組み合わされて上に記載されたが、各特徴または要素は、他の特徴および要素なしで個別に、または他の特徴および要素ありでもなしでも、様々に組み合わせて用いることができる。ここで挙げた方法またはフローチャートは、汎用コンピュータまたはプロセッサによる実行用のコンピュータ可読記憶媒体に組み込まれる、コンピュータプログラム、ソフトウェア、またはファームウェア中に実装することができる。コンピュータ可読記憶媒体の例は、読出し専用メモリ（ＲＯＭ）、ＲＡＭ（ランダムアクセスメモリ）、レジスタ、キャッシュメモリ、半導体メモリ素子、内部ハードディスクおよび取外し可能ディスクなどの磁気メディア、光磁気メディア、ならびにＣＤ−ＲＯＭディスク、およびＤＶＤ（デジタル多用途ディスク）などの光メディアを含む。
【００８２】
適切なプロセッサは、例として、汎用プロセッサ、特殊目的プロセッサ、従来のプロセッサ、ＤＳＰ（デジタル信号プロセッサ）、複数のマイクロプロセッサ、ＤＳＰコアと関連した１つもしくは複数のマイクロプロセッサ、コントローラ、マイクロコントローラ、ＡＳＩＣ（特定用途向け集積回路）、ＦＰＧＡ（フィールドプログラム可能ゲートアレイ）回路、他の任意のタイプのＩＣ（集積回路）、および／または状態マシンを含む。
【００８３】
ソフトウェアと関連したプロセッサは、ＷＴＲＵ（ワイヤレス送受信ユニット）、ＵＥ（ユーザ機器）、端末、基地局、無線ネットワークコントローラ（ＲＮＣ）、または任意のホストコンピュータ内で使用するための無線周波数トランシーバを実装するのに使うことができる。ＷＴＲＵは、カメラ、ビデオカメラモジュール、テレビ電話、スピーカーフォン、振動装置、スピーカ、マイクロホン、テレビトランシーバ、ハンズフリーヘッドセット、キーボード、ブルートゥース（登録商標）モジュール、ＦＭ（周波数変調）無線ユニット、液晶ディスプレイ（ＬＣＤ）表示ユニット、有機発光ダイオード（ＯＬＥＤ）表示ユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）もしくは超広帯域（ＵＷＢ）モジュールなど、ハードウェアおよび／またはソフトウェア中に実装されるモジュールとともに使うことができる。
【００８４】
実施形態
１．シンボル／ビットへのＵＳＦマッピングコンステレーションの総数をＲＥＤＨＯＴ送信用バーストまで削減するために、１つまたは複数のＥＧＰＲＳ（拡張型汎用パケット無線サービス）またはＲＥＤＨＯＴの変調および符号化方式（ＭＣＳ）のビット置換を使用して、適用される符号化アップリンク状況フラグ（ＵＳＦ）ビットの現在のビット位置を、別のものに置換する、またはＭＣＳ−１〜４、ダウンリンクレベルＡ  ＭＣＳ（ＤＡＳ）−５からＤＡＳ１２および／またはダウンリンクレベルＢ  ＭＣＳ（ＤＢＳ）−５からＤＢＳ−１２方式の選ばれた別のサブセットに置換する方法。
２．現在のＵＳＦビット／シンボルおよび／またはその位置のサブセットのみが、他の１つまたは複数のＲＥＤＨＯＴまたはＥＧＰＲＳ方式のＵＳＦビット／シンボル位置に置換される実施形態１に記載の方法。
３．ＵＳＦビット／シンボルおよび／またはその位置のセット全体が、他の少なくとも１つのＥＧＰＲＳまたはＲＥＤＨＯＴ方式のものにマップされる実施形態１に記載の方法。
４．ＥＧＰＲＳ  ＭＣＳ−１からＭＣＳ−４のＵＳＦビット／シンボル位置は、ＲＥＤＨＯＴパケットデータチャネル（ＰＤＣＨ）上での送信用に使われる場合、バーストごとに、無線ブロックの｛０，５０，１００｝という第１のバースト、｛３４，８４，９８｝という第２のバースト、第３のバースト中の｛１８，６８，８２｝、および｛２，５２，６６｝という第４のバーストから、ＥＧＰＲＳ  ＭＣＳ−５からＭＣＳ−９（およびＤＡＳ−５からＤＡＳ−７）において利用されるＵＳＦ位置｛１５０，１５１，１６８〜１６９，１７１〜１７２，１７７，１７８，１９５｝の全部またはサブセットに置換される実施形態１〜３のいずれか１つに記載の方法。
５．バーストごとにＥＧＰＲＳ  ＤＡＳ−５からＤＡＳ−７において利用されるＵＳＦビット／シンボル位置｛１５０，１５１，１６８〜１６９，１７１〜１７２，１７７，１７８，１９５｝は、ＲＥＤＨＯＴレベルＡ  ＤＡＳ−８からＤＡＳ−１２に対応するＵＳＦビット／シンボル位置にビット置換される実施形態１〜３のいずれか１つに記載の方法。
６．ＥＧＰＲＳ  ＭＣＳ−１からＭＣＳ−４、および／またはＤＡＳ−５からＤＡＳ−７のいずれかまたは組合せのＵＳＦビット／シンボル位置は、ＲＥＤＨＯＴレベルＡ  ＤＡＳ−８からＤＡＳ−１２に対応するＵＳＦビット／シンボル位置にビット置換される実施形態１〜３のいずれか１つに記載の方法。
７．ＥＧＰＲＳ  ＭＣＳ−１からＭＣＳ−４および／またはＤＡＳ−５からＤＡＳ−１２のいずれかもしくはサブセットのＵＳＦビット／シンボル位置はビット置換され、かつ／または３ビットからのそのＵＳＦマッピング方式、および／もしくはＵＳＦ符号化ビットをシンボルにマップするのに選ばれた手法は、ＵＳＦコンステレーションの総数を削減するために、符号化方式のいずれかまたはサブセットに合わせて適応される実施形態１〜３のいずれか１つに記載の方法。
８．シンボル／ビットへのＵＳＦマッピングコンステレーションの総数をＲＥＤＨＯＴ送信用バーストまで削減するために、１つまたは複数のＥＧＰＲＳ（拡張型汎用パケット無線サービス）またはＲＥＤＨＯＴの変調および符号化方式（ＭＣＳ）のビット置換を使用して、適用される符号化アップリンク状況フラグ（ＵＳＦ）ビットの現在のビット位置を、別のものに置換する、またはＭＣＳ−１〜４、ダウンリンクレベルＡ  ＭＣＳ（ＤＡＳ）−５からＤＡＳ１２および／またはダウンリンクレベルＢ  ＭＣＳ（ＤＢＳ）−５からＤＢＳ−１２方式の選ばれた別のサブセットに置換するプロセッサと、
受信機と
を備え、プロセッサは、パケットデータチャネル（ＰＤＣＨ）割当てがＥＧＰＲＳ動作に対するものであるかＲＥＤＨＯＴ動作に対するものであるかに依存して、旧来のＥＧＰＲＳ  ＭＣＳ−１からＭＣＳ−４をデコードするように受信機を構成するワイヤレス送受信ユニット（ＷＴＲＵ）。
９．ＥＧＰＲＳバーストは、受信機によって受信され、プロセッサによって処理される実施形態８に記載のＷＴＲＵ。
１０．現在のＵＳＦビット／シンボルおよび／またはその位置のサブセットのみが、他の１つまたは複数のＲＥＤＨＯＴまたはＥＧＰＲＳ方式のＵＳＦビット／シンボル位置に置換される実施形態８、９のいずれか１つに記載のＷＴＲＵ。
１１．ＵＳＦビット／シンボルおよび／またはその位置のセット全体が、他の少なくとも１つのＥＧＰＲＳまたはＲＥＤＨＯＴ方式のものにマップされる実施形態８、９のいずれか１つに記載のＷＴＲＵ。
１２．ＥＧＰＲＳ  ＭＣＳ−１からＭＣＳ−４のＵＳＦビット／シンボル位置は、ＲＥＤＨＯＴパケットデータチャネル（ＰＤＣＨ）上での送信用に使われる場合、バーストごとに、無線ブロックの｛０，５０，１００｝という第１のバースト、｛３４，８４，９８｝という第２のバースト、第３のバースト中の｛１８，６８，８２｝、および｛２，５２，６６｝という第４のバーストから、ＥＧＰＲＳ  ＭＣＳ−５からＭＣＳ−９（およびＤＡＳ−５からＤＡＳ−７）において利用されるＵＳＦ位置｛１５０，１５１，１６８〜１６９，１７１〜１７２，１７７，１７８，１９５｝の全部またはサブセットに置換される実施形態８〜１１のいずれか１つに記載のＷＴＲＵ。
１３．バーストごとにＥＧＰＲＳ  ＤＡＳ−５からＤＡＳ−７において利用されるＵＳＦビット／シンボル位置｛１５０，１５１，１６８〜１６９，１７１〜１７２，１７７，１７８，１９５｝は、ＲＥＤＨＯＴレベルＡ  ＤＡＳ−８からＤＡＳ−１２に対応するＵＳＦビット／シンボル位置にビット置換される実施形態８〜１１のいずれか１つに記載のＷＴＲＵ。
１４．ＥＧＰＲＳ  ＭＣＳ−１からＭＣＳ−４、および／またはＤＡＳ−５からＤＡＳ−７のいずれかまたは組合せのＵＳＦビット／シンボル位置は、ＲＥＤＨＯＴレベルＡ  ＤＡＳ−８からＤＡＳ−１２に対応するＵＳＦビット／シンボル位置にビット置換される実施形態８〜１１のいずれか１つに記載のＷＴＲＵ。
１５．ＥＧＰＲＳ  ＭＣＳ−１からＭＣＳ−４および／またはＤＡＳ−５からＤＡＳ−１２のいずれかもしくはサブセットのＵＳＦビット／シンボル位置はビット置換され、かつ／または３ビットからのそのＵＳＦマッピング方式、およびもしくはＵＳＦ符号化ビットをシンボルにマップするのに選ばれた手法は、ＵＳＦコンステレーションの総数を削減するために、いずれかまたはサブセット符号化方式に合わせて適応される実施形態８〜１１のいずれか１つに記載のＷＴＲＵ。
１６．ＵＳＦ情報を搬送するＵＳＦシンボルが、通信バースト中の別のいずれかの位置に対してビット置換されるように、ＵＳＦ情報を含む通信バーストを符号化することをさらに含むアップリンク状態フラグ（ＵＳＦ）をデコードする実施形態１〜７のいずれか１つに記載の方法。
１７．ＵＳＦシンボルは、マッピング規則に従って置換される実施形態１６に記載の方法。
１８．ビット置換は、１つまたは複数の符号化方式を置換することを含む実施形態１６または１７のいずれかに記載の方法。
１９．符号化方式は、ＥＧＰＲＳ（ＥＤＧＥ汎用パケット無線サービス）またはＲＥＤＨＯＴを含む実施形態１８に記載の方法。
２０．符号化方式は、ＭＣＳ−１〜４、ＤＡＳ−５〜１２およびＤＢＳ−５〜１２のサブセットから選ばれた符号化ＵＳＦビットのビット位置に対して利用される実施形態１９に記載の方法。
２１．ＵＳＦシンボルのビット置換は、ＥＧＰＲＳ  ＭＣＳ、ＥＧＰＲＳ２  ＤＡＳ−ｘまたはＤＢＳ−ｙのある特定の１つまたはサブセットに適用される実施形態２０に記載の方法。
２２．置換は、無線ブロックを、ＢＴＴＩ（基本送信時間間隔）か、ＲＴＴＩ（短縮送信時間間隔）に符号化する関数である実施形態２１に記載の方法。
２３．ＥＧＰＲＳ  ＭＣＳ−１からＭＣＳ−４のＵＳＦシンボル位置は、バーストごとにＥＧＰＲＳ  ＭＣＳ−５からＭＣＳ−９におけるＵＳＦシンボル位置の全部またはサブセットに置換される実施形態１９〜２２のいずれかに記載の方法。
２４．ＭＣＳ−１からＭＣＳ−４のＵＳＦ符号化ビットは、選ばれたビット位置のサブセットの上に直接繰り返される実施形態２３に記載の方法。
２５．ＥＧＰＲＳ  ＤＡＳ−５からＤＡＳ−７のＵＳＦシンボル位置は、ＲＥＤＨＯＴレベルＡ  ＤＡＳ−８からＤＡＳ−１２の全部またはサブセットにビット置換される実施形態１９〜２４のいずれかに記載の方法。
２６．ＭＣＳ−ｘ、ＤＡＳ−ｙまたはＤＡＳ−ｚの１つまたはサブセットのマッピング手順を、別の符号化方式またはＭＣＳ−ｘ、ＤＡＳ−ｙもしくはＤＡＳ−ｚ符号化方式のサブセットのものに変更することをさらに含む実施形態１６〜２５のいずれかに記載の方法。
２７．ＭＣＳ−ｘ、ＤＡＳ−ｙまたはＤＡＳ−ｚの１つまたはサブセットのＵＳＦ符号語生成手順を、別の符号化方式またはＭＣＳ−ｘ、ＤＡＳ−ｙもしくはＤＡＳ−ｚ符号語生成方式のサブセットのものに変更することをさらに含む実施形態１６〜２６のいずれかに記載の方法。
２８．１つまたは複数のＲＥＤＨＯＴ−Ａ方式を、ＲＥＤＨＯＴ−Ｂ方式に適応することをさらに含む実施形態１６〜２７のいずれかに記載の方法。
２９．ＱＰＳＫベースのＤＢＳ−５およびＤＢＳ−６のＵＳＦ符号語は、１６ＱＡＭベースのＤＡＳ−８から１２の対応するＵＳＦ符号語にさせられる実施形態２８に記載の方法。
３０．ＱＰＳＫベースのＤＢＳ−５およびＤＢＳ−６のＵＳＦ符号語は、３２ＱＡＭベースのＤＡＳ−７から１２の対応するＵＳＦ符号語にさせられる実施形態２８に記載の方法。
３１．受信された構成メッセージに依存して、ＥＧＰＲＳ  ＭＣＳ−１からＭＣＳ−４を、ＥＧＰＲＳ動作か、ＲＥＤＨＯＴ動作にデコードすることをさらに含む実施形態１６〜３０のいずれかに記載の方法。
３２．動作は、物理的専用チャネル割当てに依存する実施形態３１に記載の方法。
３３．第２のＲＴＴＩ間隔中で許容可能な変調タイプを制限することをさらに含む実施形態１６〜３２のいずれかに記載の方法。
３４．制限は、第１のＲＴＴＩ間隔における変調タイプに依存する実施形態３３に記載の方法。
３５．制限は、すべての通信において実装される規則によって示される実施形態１９に記載の方法。
３６．制限は、ワイヤレス送受信ユニット（ＷＴＲＵ）の機能に依存する実施形態３３〜３５のいずれかに記載の方法。
３７．制限は、ＵＳＦ符号語およびその最小ハミング距離の関数である実施形態３３〜３６のいずれかに記載の方法。
３８．１つまたは複数の規則は、変調タイプを制限するために実装される実施形態３３〜３６のいずれかに記載の方法。
３９．どの規則を使うべきかの指示は、資源確立中に通知される実施形態３８に記載の方法。
４０．どの規則を使うべきかの指示は、ＥＧＰＲＳ  ＲＬＣ／ＭＡＣ信号メッセージの拡張により通知される実施形態３８に記載の方法。
４１．ＥＧＰＲＳ２  ＭＣＳ−ｘ、ＤＡＳ−ｙ、ＤＢＳ−ｚ送信の１つまたはサブセットに異なるスチールフラグ設定を利用することをさらに含む実施形態１６〜４０のいずれかに記載の方法。
４２．スチールフラグは、正しいＵＳＦデコード形式、ＲＴＴＩかＢＴＴＩ間隔における無線ブロックの順序、およびＵＳＦデコード形式が変更されるかどうかの１つまたは複数を判定するのを援助する実施形態４１に記載の方法。
４３．実施形態１６〜４２のいずれかに記載の方法を実装するように構成されたプロセッサを備える送信機。
４４．実施形態１６〜４２のいずれかに記載の方法を実装するように構成されたプロセッサを備える受信機。
４５．実施形態１６〜４２のいずれかに記載の方法を実装するように構成されたプロセッサを備える基地局。
４６．実施形態１６〜４２のいずれかに記載の方法を実装するように構成されたプロセッサを備えるワイヤレス送受信ユニット（ＷＴＲＵ）。
【図１】
0005386494.tif 000004
【図２】
0005386494.tif 000005
【図３】
0005386494.tif 000006
【図４】
0005386494.tif 000007
【図５】
0005386494.tif 000008
【図６】
0005386494.tif 000009
【図７Ａ】
0005386494.tif 000010
【図７Ｂ】
0005386494.tif 000011
【図８】
0005386494.tif 000012
【図９】
0005386494.tif 000013
【図１０】
0005386494.tif 000014